(57)【要約】      （修正有）【課題】不安定で条件範囲の狭い悪条件のガスを安定した湿度や流量に調整する装置を提供する。【解決手段】圧力調節用コントローラ５、６にてガスの圧力値を一定に保ち、水槽筒１、２又は乾燥筒７、８にガスを流し、ガス湿度調節し、切換バルブ１５、１６で混合希釈ガスを作成し、流量計１７、１８、１９にて流量調整、ガス排出ユニオン２１にてガスを排出、他の試験機へ供給する。【選択図】図３
0003175479.tif 000002
【実用新案登録請求の範囲】
【請求項１】
外部ガスボンベからのガスを符号２０注入ユニオンにてガスを注入し、当装置Ａライン、Ｂライン回路にてＡライン、Ｂライン回路のガスを圧力調節用Ａ、Ｂコントローラで調節し、Ａ圧力計、Ｂ圧力計で圧力値を設定し、安定した一定圧力に変換して、ガスの湿度設定値に応じてＡライン、Ｂラインの水槽筒やＡ、Ｂ乾燥筒に注入することにより、安定した一定のガス湿度に調整した後、Ａライン流量計、Ｂライン流量計、ＡＢ混合希釈ライン流量計により、安定した一定の流量で排出ユニオンから他の試験機に排出供給することや必要に応じＡライン、Ｂライン回路のガスを当装置内部の符号９，１０，１１，１２，１３，１４，１５，１６切替バルブの切換え作業にてガスを混合希釈させることにより、混合ガスや希釈ガスを作成する装置であって、前記の水槽筒とは、ガスの加湿をおこなえるもので、符号７．８乾燥筒とはガスの除湿をおこなえるものであり、Ａライン、Ｂライン回路の分岐点に切換バルブを設置し目的に応じＡライン、Ｂライン、ＡＢ混合希釈ライン回路を切替えて、ガスの湿度や流量を他の試験機に安定変換、供給できる装置や回路でなることを特徴とする高精密湿度と流量コントロール装置。
【請求項２】
前記のガスとは、他の酸素ボンベや窒素ボンベから送り込まれるものであり、Ａライン、Ｂライン回路のガスを圧力調節用コントローラで一定の安定した圧力に調整し、前記乾燥筒は、ガスの除湿をおこなうものとして密閉した乾燥筒であり、前記水槽筒は、ガスの加湿をおこなうものとして水を貯めた水槽筒からなるものであり、圧力調節用コントローラで圧力調節されたガスを注入してガスの湿度を調整した後、Ａライン流量計、Ｂライン流量計、ＡＢ混合ライン流量計により一定の安定した流量でガスをユニオンから排出、場合によって、Ａライン、Ｂライン回路のガスを装置内部の切替バルブの切換えで混合希釈させることにより、ガスの湿度調整や流量調整された混合希釈ガス作成するＡＢ混合希釈回路を持ち、また水槽筒内部で１００％ＲＨライン切替バルブを持ち、１００％ＲＨにガスを設定できる。上記ライン回路分岐点の切換えは、符号９．１０．１１．１２．１３．１４．１５．１６切替バルブの切換えからなることを特徴とする請求項１記載の高精密湿度と流量コントロール装置。
【考案の詳細な説明】
【技術分野】
【０００１】本考案は、外部ガスボンベから供給したガスの湿度、流量、混合、希釈条件が不安定なガスを一定の安定したガスの湿度や流量に変換、調整し、他の試験機に安定ガス供給を図ったガスの湿度、流量調節コントロール装置。
【背景技術】
【０００２】従来は、ガスの湿度、流量、混合、希釈設定条件を変換、調整、設定し他の試験機に供給できるものはなかった。
【考案の概要】
【考案が解決しようとする課題】
【０００３】他の試験機が供給を必要とするガスの条件である湿度、流量、混合、希釈設定機能設備が不十分な場合は、その希望するガス条件設定機能付きの器具に新しく買換えや買い足しなければならなかったため多くのコストや設置スペースがかかるという難点、多くの産業廃棄物が発生するという難点があった。本考案は、この課題を解消するためになされたものである。
【課題を解決するための手段】
【０００４】外部ガスボンベからの不安定な条件設定のガスを一定の安定したガスの湿度、流量、混合、希釈条件に変換するために、符号２０ガス注入ユニオンからガスを注入し、ますＡライン、Ｂラインのガス圧力値を圧力調節用Ａ、ＢコントローラやＡ圧力計、Ｂ圧力計にて一定に保ち、Ａライン、Ｂラインのガスを加湿の場合は、蒸留水を貯めた水槽筒、除湿の場合は、乾燥筒に流し込むことにより、ガスの湿度条件の調節や変換でき、そして水槽筒内部で１００％ＲＨライン切替バルブを持ち、１００％ＲＨにガスを設定可能。また流し込んだガス圧力値の設定値の調整により、ガスの湿度を変化させた後、安定した流量をＡライン流量計、Ｂライン流量計、ＡＢ混合ライン流量計にてガスの安定流量供給、符号２１ガス排出ユニオンにて他の試験機に供給し、さらに必要に応じ当装置内部の符号９，１０，１１，１２，１３，１４，１５，１６切替バルブの切換え作業にてＡライン、Ｂラインのガスを混合希釈させることにより混合希釈ガスを作成し他の試験機へ供給、ガスの湿度、流量調整やガス混合希釈機能をもたせ、課題を解決することができる。
【考案の効果】
【０００５】供給できるガスの条件である湿度、流量、希釈、混合の幅が拡大したことで安定ガスを他の試験機へ供給することができるようになり、設置スペースの縮小や装置買換え買い足し減少によるコスト削減や産業廃棄物も減少し、環境破壊の防止につながる。【０００６】ガス加湿のための水槽筒にかけるガスの圧力値によって、ガスの湿度を調整することができ、安定した湿度条件のガスを得ることが可能である。また水槽筒内部で１００％ＲＨライン切替バルブを持ち、湿度１００％ＲＨガスを他の試験機へ供給可能。【０００７】ガスのＡライン、Ｂラインの混合比率の割合を流量計による流量調節で変えることによりガス混合希釈度の調節が可能であり、その割合の調節は、Ａライン、Ｂラインで混合させるガスの流量割合で調整可能であると同時に混合させないでＡライン、Ｂラインに湿度及び流量を調整することも可能である。
【図面の簡単な説明】
【０００８】
【図１】本考案の正面図である。
【図２】本考案の背面図である。
【図３】本考案の回路を表す図である。
【考案を実施するための形態】
【０００９】符号１，２水槽筒に約半分ほどに蒸留水を入れしっかりと蓋をする。
符号２０注入ユニオンからＡライン、Ｂラインにガスを注入する。
符号３，４ガス目標設定湿度値に応じた圧力を圧力計値にて確認し、符号５，６圧力調節用コントローラで圧力値を調節する。除湿設定の場合は、符号７，８乾燥筒に乾燥材を入れておく。
符号９，１１，１２，１４切替バルブを除湿に設定するとドライのガスを排出。
符号９，１１，１２，１４切替バルブを加湿に設定するとウエットのガスを排出。
符号１０，１３切替バルブでガスの湿度１００％ＲＨラインに設定。
符号１５，１６切替バルブでＡＢライン、Ａライン、Ｂラインに設定。
符号１７，１８，１９流量計でガスの排出流量を調節する。
符号２１ユニオンから排出したガスを他の試験機に供給する。
【符号の説明】
【００１０】１  Ａライン水槽筒
２  Ｂライン水槽筒
３  Ａライン圧力計
４  Ｂライン圧力計
５  圧力調節用Ａラインコントローラ
６  圧力調節用Ｂラインコントローラ
７  Ａライン乾燥筒
８  Ｂライン乾燥筒
９  Ａ−ａ−ａ  Ａライン除湿、加湿ガス入口切替バルブ
１０  Ａ−ａ−ｂ  Ａライン１００％ＲＨライン切替バルブ
１１  Ａ−ａ−ｃ  Ａライン除湿、加湿ガス出口切替バルブ
１２  Ｂ−ａ−ａ  Ｂライン除湿、加湿ガス入口切替バルブ
１３  Ｂ−ａ−ｂ  Ｂライン１００％ＲＨライン切替バルブ
１４  Ｂ−ａ−ｃ  Ａライン除湿、加湿ガス出口切替バルブ
１５  Ｃ−ａ  Ａライン混合希釈切替バルブ
１６  Ｃ−ｂ  Ｂライン混合希釈切替バルブ
１７  Ａライン流量計
１８  Ｂライン流量計
１９  ＡＢ混合希釈ライン流量計
２０  ガス注入ユニオン
２１  ガス排出ユニオン
【図１】
0003175479.tif 000003
【図２】
0003175479.tif 000004
【図３】
0003175479.tif 000005